(57)【特許請求の範囲】
【請求項１】
耳部の診察に際して用いられる診察用器具であって、
先端側の口径が小さく、基端側の口径が大きな筒体からなり、
前記筒体は、カーボンブラック含有プラスチックで構成され、かつ、遮光性のものであり、
前記筒体内面は、その表面粗さが中心線平均粗さ（Ｒａ）で０．１〜１００μｍである
ことを特徴とする診察用器具。
【請求項２】
筒体の外面側に凸部が構成されてなることを特徴とする請求項１の診察用器具。
【請求項３】
筒体は、先端側の口径が小さく、基端側の口径が大きな形状の円錐台筒部と、前記円錐台筒部の基端側につながって設けられた環状部とを具備したものであることを特徴とする請求項１又は請求項２の診察用器具。
【請求項４】
環状部の外面に凸条部が構成されてなることを特徴とする請求項３の診察用器具。
【発明の詳細な説明】
【０００１】
【発明の属する技術分野】
本発明は診察用器具、特に耳鏡器と称される診察用器具、更には使い捨てタイプの耳鏡器に関する。
【０００２】
【発明が解決しようとする課題】
小学校などにおける集団検診（耳の集団検診（診察））に際しては、耳鏡器と称される診察用器具が使用される。この耳鏡器は、円錐台筒形状をしたものである。そして、耳の内部の診察に際しては、耳鏡器を耳に差し入れ、光を耳鏡器を介して耳内部に導き、この状態で内部を観察し、診断している。
【０００３】
ところで、従来、耳鏡器は金属材料で構成されている。
この為、耳鏡器が耳に差し込まれると、その際の感触が悪く、子供は嫌がることが多かった。特に、寒い時期（集団検診が行われる４月などにあっても、肌寒い時期が多い）では、金属製の耳鏡器を耳に差し込むと、その感触が特に悪く、嫌がることが多い為、診察を正確に行い難い。
【０００４】
従って、本発明が解決しようとする課題は、感触に優れた耳鏡器を提供することである。
【０００５】
【課題を解決するための手段】
本発明者は、感触に優れた耳鏡器を構成する為、金属材料に代わる材料の選定に取りかかった。
そして、試行錯誤を繰り返すうちに、プラスチックで構成した場合が、最も感触に優れていることを見出すに至った。
【０００６】
しかし、単に、プラスチックで構成すれば良いものではなかった。例えば、単なるポリプロピレン製の耳鏡器は、耳鏡器としての役割を発揮できなかった。つまり、通常のポリプロピレンは透明なものである為、これでは光を耳内部に導くことが出来なかったのである。
そこで、カーボンブラックとポリプロピレンとを用いた遮光性プラスチックを用いて耳鏡器を試作した。しかし、これでも、耳鏡器としての役割を発揮できなかった。
【０００７】
この原因についての検討が鋭意押し進められて行った結果、耳鏡器の内面が平滑すぎて、光の反射が過ぎていたことを見出すに至った。
このような知見を基にして本発明が達成されたものであり、前記の課題は、
耳部の診察に際して用いられる診察用器具であって、
先端側の口径が小さく、基端側の口径が大きな筒体からなり、
前記筒体は、カーボンブラック含有プラスチックで構成され、かつ、遮光性のものであり、
前記筒体内面は、その表面粗さが中心線平均粗さ（Ｒａ）で０．１〜１００μｍである
ことを特徴とする診察用器具によって解決される。
【０００８】
すなわち、上記のように構成させた診察用器具（耳鏡器）は、材料がプラスチックである為、金属製の耳鏡器よりも肌触り感が遙かに良かった。この為、耳に差し込んでも、嫌がる子供は大幅に減り、診察を正確に行うことが出来、かつ、診察もスムーズに行えるものであった。
更には、プラスチック製とした為、コストを大幅に安く出来た。この為、使い捨てにすることも出来る。そして、使い捨てにした場合には、細菌感染の恐れがなくなる。更には、診察の度毎に、一回一回、耳鏡器を洗浄する必要がなく、診察がスムーズに進み、診察時間の短縮も可能になる。
【０００９】
尚、筒体内面は、その表面粗さが中心線平均粗さ（Ｒａ）で０．４μｍ以上のものが好ましい。更には、０．７μｍ以上のものが好ましい。特に、１μｍ以上のものが好ましい。又、５０μｍ以下のものが好ましい。更には、３０μｍ以下のものが好ましい。特に、２０μｍ以下のものが好ましい。すなわち、表面粗さを前記の値とすることによって、光の反射具合が一層改善され、診察が正確、かつ、容易になる。
【００１０】
又、筒体はカーボンブラック含有プラスチックで構成されてなるのが好ましい。本発明においては、材料としてプラスチックを選定した理由は、プラスチックが触感に優れ、更には低廉であるからによる。しかし、カーボンブラック含有プラスチックを用いた場合には、前記の他に、遮光性が得られる。更には、静電気が帯電し難い。すなわち、静電気が帯電した耳鏡器を取り扱う場合、これを手にした瞬間の医者は極めて不快になる。従って、正確な診察を行い難い。又、静電気が帯電した耳鏡器が患者の耳に差し込まれた場合、患者は、これ、また、実に不快になる。しかるに、カーボンブラック含有プラスチックで構成させた場合、このような欠点も解決される。かつ、光・熱が当たっている場合には、輻射熱を効率良く吸収する。従って、耳鏡器が患者の耳に差し込まれた場合、暖まっていることから、触感が良い。
【００１１】
又、上記筒体の外面側には凸部が構成されているのが好ましい。すなわち、耳鏡器は、通常、略円錐台形状をしている。従って、耳鏡器を積み重ねると、耳鏡器同士が完全に嵌まってしまい、抜き取り難くなる。そこで、筒体の外面に凸部を構成していると、これがスタッキング防止の役割を奏する。従って、耳鏡器を積み重ねていても、耳鏡器同士が完全に嵌まってしまうことがなく、抜き取りが簡単である。尚、凸部を筒体の内面側に設けた場合には、診察の邪魔になる恐れがある。しかし、凸部を筒体の外面側に設けた場合には、診察の邪魔になる恐れは無い。更には、プラスチックで成型することにより耳鏡器を構成する場合、凸部をプラスチック材料注入用のゲートに対応させることが出来る。
【００１２】
又、筒体は、先端側の口径が小さく、基端側の口径が大きな形状の円錐台筒部と、前記円錐台筒部の基端側につながって設けられた環状部とを具備した形状であるのが好ましい。又、環状部の外面に凸条部が構成されているものが好ましい。
【００１３】
【発明の実施の形態】
本発明になる診察用器具は、耳部の診察に際して用いられる診察用器具であって、先端側の口径が小さく、基端側の口径が大きな筒体からなり、前記筒体は、プラスチックで構成され、かつ、遮光性のものであり、前記筒体内面は、その表面粗さが中心線平均粗さ（Ｒａ）で０．１〜１００μｍ（好ましい下限値は、０．４μｍ、更には０．７μｍ、特に１μｍ。好ましい上限値は、５０μｍ、更には３０μｍ、特に２０μｍ。）である。筒体はカーボンブラック含有プラスチックで構成される。筒体の外面側には凸部が構成される。筒体は、先端側の口径が小さく、基端側の口径が大きな形状の円錐台筒部と、前記円錐台筒部の基端側につながって設けられた環状部とを具備したものである。環状部の外面には凸条部が構成される。
【００１４】
以下、更に詳しく説明する。
図１は本発明になる診察用器具（耳鏡器）の一実施形態の斜視図、図２は断面図である。
各図中、Ａは耳鏡器である。この耳鏡器Ａは、先端側の口径（直径）が約５ｍｍ、基端側の口径（直径）が約１５ｍｍ、高さが約３０ｍｍ、肉厚が約１ｍｍの円錐台筒部１と、円錐台筒部１の基端側につながって設けられた口径（直径）が約２０ｍｍ、肉厚が約１ｍｍの円環状部２とを具備したものである。
【００１５】
更に、凸部３を円環状部２から立設させている。特に、円錐台筒部１外面と円環状部２外面とにつながるように凸部３が設けられている。この凸部３は、耳鏡器Ａをプラスチック成型により構成する場合、プラスチック材料注入ゲートに対応したものである。そして、耳鏡器Ａを積み重ねていても、凸部３がスタッキング防止の役割を奏するから、耳鏡器Ａ同士が完全に嵌まってしまうことがなく、抜き取りが簡単なものになる。
【００１６】
円環状部２の外周面には、円周方向でない方向、特に、円周方向に直交する方向に沿って凸条部４が構成されている。これは、耳鏡器Ａを補助具に差し込む場合のことを考慮したものである。つまり、凸条部４を設けておくことにより、補助具に差し込む場合、補助具との間のクリアランスに高精度を要求されなくなる。
【００１７】
耳鏡器Ａは、ポリプロピレン中にカーボンブラックを０．４〜２．８ｗｔ％、例えば０．８ｗｔ％含有する遮光性プラスチック材料を用いて成型手段により構成されたものである。
そして、耳鏡器Ａ（円錐台筒部１及び円環状部２）の外表面は、その表面粗さが中心線平均粗さ（Ｒａ）で０．０５μｍと平滑であるのに対して、円錐台筒部１の内表面は、その表面粗さが中心線平均粗さ（Ｒａ）で１．４μｍである。すなわち、円錐台筒部１内面は、その表面粗さが中心線平均粗さ（Ｒａ）で０．１〜１００μｍと比較的粗されたものとなっている。
【００１８】
上記のように構成させた耳鏡器Ａは、材料がプラスチックである為、金属製の耳鏡器よりも軽量で、かつ、肌触り感が遙かに良かった。この為、耳に差し込んでも、嫌がる子供は大幅に減り、診察を正確に行うことが出来、かつ、診察もスムーズに行えるものであった。
更には、プラスチック製とした為、コストを大幅に安く出来た。この為、使い捨てにすることが出来る。そして、使い捨てとした場合には、細菌感染の恐れがなくなる。更には、診察の度毎に、一回一回、耳鏡器を洗浄する必要もなく、診察がスムーズに進み、診察時間の短縮も可能になる。
【００１９】
特に、カーボンブラック含有プラスチック製としたから、遮光性が得られる。更には、静電気が帯電し難い。この為、静電気が帯電した耳鏡器を取り扱う場合に比べて、操作性および触感が良く、正確な診察を行い易く、又、患者にとっても嬉しいことである。又、光・熱が当たっている場合には、輻射熱を効率良く吸収する。従って、耳鏡器が患者の耳に差し込まれた場合、暖まっていることから、触感が良い。
【００２０】
又、円錐台筒部１内面を平滑ではなく、粗しているので、光の反射具合が良くなり、診察が正確、かつ、容易になる。
【００２１】
【発明の効果】
本発明の耳部の診察に際して用いられる診察用器具は、材料がプラスチックである為、金属製のものに比べて、肌触り感が遙かに良い。この為、耳に差し込んでも、嫌がる子供は大幅に減り、診察を正確に行うことが出来、かつ、診察もスムーズに行える。
【００２２】
又、コストを大幅に安く出来る。この為、使い捨てにすることも出来る。そして、使い捨てにした場合には、細菌感染の恐れがなくなる。更には、診察の度毎に、一回一回、耳鏡器を洗浄する必要もなく、診察がスムーズに進み、診察時間の短縮も可能になる。
更には、筒体をカーボンブラック含有プラスチックで構成させたので、本診察用器具は、触感性に極めて優れている。
すなわち、プラスチック製であるから触感性が良いと言うだけでは無く、カーボンブラックを含有していることから、静電気が帯電し難い。従って、静電気による帯電ショックを受けることが無いから、触感性に極めて優れている。
又、耳鏡器を敏感な耳の孔に差し込んだ場合、カーボンブラック含有プラスチック製のものであることから、熱や光のエネルギーを吸収し易く、温まり易いことから、冷たさを感じ難く、この観点からも触感性に優れている。
かつ、耳鏡器の筒体内面の表面粗さを、中心線平均粗さ（Ｒａ）で０．１〜１００μｍとしたので、光の反射具合が良く、診察が正確、かつ、容易になる。
【図面の簡単な説明】
【図１】本発明になる診察用器具の一実施形態の斜視図
【図２】本発明になる診察用器具の一実施形態の断面図
【符号の説明】
Ａ        耳鏡器
１        円錐台筒部
２        円環状部
３        凸部
４        凸条部
【図１】
0003784034.tif 000002
【図２】
0003784034.tif 000003